(57)【要約】      （修正有）【課題】操作がより便利となり、製造コストを効率的に低下できるハンドルロック構造を提供する。【解決手段】キャビネットのインターフェースカードを固定するためのハンドルロック構造であって、ロック部材と、ケースと、弾性素子と、固定部材とを備える。ロック部材は延伸部を有し、延伸部は本体部の一側から延設され、且つ延伸部は当接部を備える。ケース内に収容空間が設けられ、且つケースは延伸部に移動可能に遊嵌され、ケースの一側にフック部が凸設し且つ開孔が穿設され、開孔は収容空間に連通し、ケースの一端に取手が形成される。弾性素子は収容空間に収容され、固定部材は開孔内に設けられ且つ収容空間に伸入し、弾性素子は固定部材及び当接部に当接する。【選択図】図３
0003149435.tif 000002
【実用新案登録請求の範囲】
【請求項１】
ロック部材と、ケースと、弾性素子と、固定部材とを備え、
ロック部材は、本体部と、第１ストップアームと、第２ストップアームと、延伸部とを備え、前記本体部は貫通孔を有し、前記第１ストップアーム及び前記第２ストップアームは、前記本体部の一側から延設され、前記延伸部は前記本体部から前記第１ストップアームと反対側へ延設され、前記延伸部は当接部を備え、
ケースは、内部に収容空間が設けられ且つ前記延伸部に移動可能に遊嵌され、一側にフック部が凸設し且つ前記収容空間に連通する開孔が穿設され、一端に取手が形成され、前記延伸部が収容空間内に挿入するように構成され、
弾性素子は、前記収容空間に収容され、
固定部材は、前記ケースの開孔内に設けられ、且つ前記収容空間に伸入し、前記弾性素子が固定部材及び当接部に当接するように構成されることを特徴とするハンドルロック構造。
【請求項２】
前記固定部材は前記開孔にねじ込まれることを特徴とする請求項１に記載のハンドルロック構造。
【請求項３】
前記当接部は当接面を有し、前記弾性素子は前記固定部材及び前記当接部の当接面に当接されることを特徴とする請求項１に記載のハンドルロック構造。
【請求項４】
前記ケースの周縁部にラチェット機構が設けられることを特徴とする請求項１に記載のハンドルロック構造。
【請求項５】
さらに、キャビネット及びインターフェースカードが設けられ、前記インターフェースカードは、前記キャビネット内に差し込まれ、前記インターフェースカードはパネル及び回路基板を含み、前記回路基板は前記パネルの一側に設けられ、前記ロック部材は、前記パネルの一端に枢設されることを特徴とする請求項１に記載のハンドルロック構造。
【請求項６】
前記キャビネットに凸壁が設けられ、前記凸壁は、前記第１ストップアームと前記第２ストップアームとの間に固持され、前記パネルに係止孔が設けられ、前記ハンドルロック構造のフック部は、前記係止孔内に押し込まれるとともに前記パネルに係止されることを特徴とする請求項５に記載のハンドルロック構造。
【考案の詳細な説明】
【技術分野】
【０００１】
本考案は、ハンドルロック構造に係り、特に、インターフェースカードを固定し、インターフェースカードが稼働する際に不意に外して生じる損壊を防ぐためのハンドルロック構造に関するものである。
【背景技術】
【０００２】
図１及び図２は、従来のハンドルロック構造を示す図であり、図１及び図２に示すように、該ハンドルロック構造は、ロック部材１ａ、ケース２ａ、ばね３ａ及び取手４ａを含み、ロック部材１ａは、本体部１１ａ、第１ストップアーム１２ａ、第２ストップアーム１３ａ及び延伸部１４ａを備える。本体部１１ａは、インターフェースカード（図示せず）上に枢設するための貫通孔１１１ａを有する。第１ストップアーム１２ａ及び第２ストップアーム１３ａは、本体部１１ａの一側から延設され、延伸部１４ａは、本体部１１ａの第１ストップアーム１２ａと反対側へ延設されている。
【０００３】
ケース２ａ内部に収容空間２１ａが設けられ、内壁に当接部２２ａが形成され、ケース２ａの一側にフック部２３ａが突設され、ロック部材１ａの延伸部１４ａは、ケース２ａの収容空間２１ａを挿通し、該フック部２３ａは、インターフェースカードに係止することができる。
【０００４】
ばね３ａは、ケース２ａの収容空間２１ａ内に収容され、かつ、ばね３ａは、延伸部１４ａの上方に位置されている。取手４ａにリブ４１ａが凸設され、取手４ａは、延伸部１４ａの一端に組み立てられ、該ばね３ａは、当接部２２ａ及びリブ４１ａに当接されている。
【０００５】
該ハンドルロック構造は、貫通孔１１１ａを介してインターフェースカードに枢設され、インターフェースカードがキャビネット（図示せず）に差し込まれると、ハンドルロック構造を反時計方向に回転して、該フック部２３ａをインターフェースカードに係止させ、かつ、第１ストップアーム１２ａ及び第２ストップアーム１３ａがキャビネットに固持されることで、インターフェースカードが固定される。インターフェースカードを取り外そうとする時に、ユーザは、ケース２ａを引くことにより、ケース２ａをロック部材１ａに対して移動させるとともにばね３ａを圧縮し、フック部２３ａをインターフェースカードに係止される状態から離脱させ、さらに、ハンドルロック構造を時計方向に回転して、第１ストップアーム１２ａ及び第２ストップアーム１３ａをキャビネットに固持される状態から離脱させる。
【０００６】
しかし、上記従来のハンドルロック構造は、製造上において取手４ａの金型を別途に作製しなければならないので、製造コストは高くなる。使用上において、先ず親指で取手４ａに当接して、さらに人差し指でケース２ａを引いて、ばね３ａを圧縮し、フック部２３ａをインターフェースカードに着脱させなければならないため、操作上においてとても不便である。
【０００７】
そのため、本考案者は、前記欠点が改良できるのを感心して、長年以来この領域で積み立てた経験により、専念な観察かつ研究をし、さらに学術理論の運用に合せ、やっと合理な設計且つ前記の欠点を有効に改良できた本考案を提案した。
【考案の概要】
【考案が解決しようとする課題】
【０００８】
本考案の主な目的は、製造コストが削減でき、ユーザが操作便利となるように設計したハンドルロック構造を提供することにある。
【課題を解決するための手段】
【０００９】
前記目的を達成するため、本考案は、ロック部材と、ケースと、弾性素子と、固定部材とを備えるハンドルロック構造において、ロック部材は、本体部と第１ストップアームと第２ストップアームと延伸部を備え、前記本体部は貫通孔を有し、前記第１ストップアーム及び前記第２ストップアームは、前記本体部の一側から延設され、前記延伸部は、前記本体部から前記第１ストップアームと反対側へ延設され、前記延伸部は当接部を備える。ケースは、内部に収容空間が設けられ且つ前記延伸部に移動可能に遊嵌され、一側にフック部が凸設し且つ前記収容空間に連通する開孔が穿設され、一端に取手が形成され、前記延伸部は収容空間内に挿入するように構成された。弾性素子は、前記収容空間に収容された。固定部材は、前記ケースの開孔内に設けられ、且つ前記収容空間に伸入し、前記弾性素子は固定部材及び当接部に当接するように構成されたことを特徴とするハンドルロック構造を提供する。
【００１０】
本考案の所定目的を達成しようとするため採択している技術、手段及び効果をより詳しく了解するために、以下に本考案に関わる詳細な説明及び添付図面を参照すれば、深くかつ具体的に理解できると確信しているが、それらの添付図面が参考及び説明のみに使われ、本考案の主張範囲を狭義的に局限するものではないことは言うまでもないことである。
【考案の効果】
【００１１】
本考案は、以下の有利な効果がある。ケースの一端に取手が形成されたことにより、ケースと一体に成形でき、金型を別途に作製する必要は無く、金型の費用を節約でき、製造コストを効率的に低下することが出来る。該固定部材はケースの開孔内に設けられ、且つケースの収容空間に伸入し、弾性素子は固定部材及び当接部に当接され、ユーザは該取手を直接的に引いて、ケースをロック部材に対して移動させるとともに弾性素子を圧縮してフック部を係止させ、操作上においてより便利となる。
【図面の簡単な説明】
【００１２】
【図１】図１は、従来のハンドルロック構造の斜視図である。
【図２】図２は、従来のハンドルロック構造の分解斜視図である。
【図３】図３は、本考案に係るハンドルロック構造の斜視図である。
【図４】図４は、本考案に係るハンドルロック構造の分解斜視図である。
【図５】図５は、本考案に係るハンドルロック構造の断面図である。
【図６】図６は、本考案に係るハンドルロック構造の使用状態を示す図である。
【図７】図７は、本考案に係るハンドルロック構造の使用状態を示す側面図である。
【考案を実施するための形態】
【００１３】
図３〜図５に示すように、ハンドルロック構造は、ロック部材１と、ケース２と、弾性素子３と、固定部材４とを備える。本実施例では、ロック部材１は、硬さの好適な金属で作製され、ロック部材１は、本体部１１と、第１ストップアーム１２と、第２ストップアーム１３と、延伸部１４を備え、本体部１１は円形貫通孔１１１を有し、第１ストップアーム１２及び第２ストップアーム１３は、本体部１１の一側から延設され、第２ストップアーム１３は、第１ストップアーム１２より略長くなり、延伸部１４は、本体部１１から第１ストップアーム１２と反対側へ延設され、且つ延伸部１４は当接部１４１を備え、当接部１４１の本体部１１に近寄る一面に当接面１４１１が形成されている。
【００１４】
本実施例では、ケース２はプラスチックからなるが、他の絶縁材質で作製してもかまわない。ケース２の内部に収容空間２１が設けられ、収容空間２１はケース２を貫通し、ケース２はロック部材１の延伸部１４に移動可能に遊嵌され、延伸部１４は収容空間２１内に挿入される。ユーザに引き易くするために、ケース２の周縁部にラチェット機構２２が設けられ、ケース２の一側に開孔２３が穿設され且つフック部２４が凸設し、開孔２３は収容空間２１に連通し、フック部２４は係止のために用いられ、ケース２の一端にユーザが引っぱるための取手２５が形成される。
【００１５】
本実施例では、弾性素子３はばねであり、弾性素子３はケース２の収容空間２１内に収容され、且つ延伸部１４の一側に位置される。
【００１６】
本実施例では、固定部材４はねじであり、固定部材４はケース２の開孔２３中にねじ込まれ、且つ、固定部材４はケース２の収容空間２１に伸入し、弾性素子３を該固定部材４及び当接部１４１の当接面１４１１に当接させる。
【００１７】
図６及び図７に示すように、本考案に係るハンドルロック構造は、インターフェースカード６をキャビネット５に固定し、該キャビネット５は工業用コンピュータキャビネットであり、キャビネット５に複数のスライドレール５１及び凸壁５２が設けられ、これらのスライドレール５１は、インターフェースカード６をキャビネット５内に挿入するように案内するものである。インターフェースカード６は、パネル６１及び回路基板６２を含み、パネル６１上に複数の差し孔（図示せず）及び係止孔６３が設けられ、これらの差し孔には他の回路や装置を差し込むことができ、回路基板６２はパネル６１の一側に設けられ、回路基板６２の他方の側は、キャビネット５内に差し込むことができる。ハンドルロック構造は、本体部１１の貫通孔１１１を介してパネル６１の一端に枢設され、ハンドルロック構造のフック部２４は、パネル６１の係止孔６３内に押し込まれる。
【００１８】
インターフェースカード６がキャビネット５に差し込まれると、ハンドルロック構造を反時計方向に回転し、取手２５を引いて、ケース２をロック部材１に対して移動させるとともに弾性素子３を圧縮し、フック部２４をパネル６１の係止孔６３内に押し込ませることができる。取手２５を開放すると、フック部２４は弾性素子３の復元力でパネル６１上に係止され、該キャビネット５の凸壁５２は、第１ストップアーム１２と第２ストップアーム１３との間に固持され、よって、インターフェースカード６が固定され、インターフェースカード６が稼働される際に不意に外されて生じる損壊を防げる。インターフェースカー６を取り外そうとする時に、ユーザは、取手２５を引くことにより、ケース２をロック部材１に対して移動させるとともに弾性素子３を圧縮し、フック部２４をパネル６１に係止される状態から離脱させ、さらに、ハンドルロック構造を時計方向に回転して、凸壁５２を固持される状態から離脱させ、フック部２４は、係止孔６３から取り出される。
【００１９】
本考案は、取手２５がケース２の一端に一体に形成されたことにより、金型を別途に作製する必要は無く、金型の費用を節約でき、製造コストを効率的に低下することが出来る。該固定部材４はケース２の開孔２３内に設けられ且つケース２の収容空間２１に伸入し、弾性素子３は固定部材４及び当接部１４１の当接面１４１１に当接され、ユーザは該取手２５を直接的に引いて、ケース２をロック部材１に対して移動させるとともに弾性素子３を圧縮して、フック部２４をパネル６１に着脱させることができ、操作上においてより便利となる。
【００２０】
しかし、以上は単に本考案の好ましい具体的な実施例に過ぎず、本考案の実用新案登録請求の範囲を局限するものではなく、いずれの当該分野における通常の知識を有する専門家は、本考案の分野の中で、適当に変更や修飾などを実施できるが、それらの実施が本考案の主張範囲内に納入されるべきことは言うまでもないことである。
【符号の説明】
【００２１】
１ａ  ロック部材
２ａ  ケース
３ａ  ばね
４ａ  取手
１１ａ  本体部
１２ａ  第１ストップアーム
１３ａ  第２ストップアーム
１４ａ  延伸部
１１１ａ  貫通孔
２１ａ  収容空間
２２ａ  当接部
２３ａ  フック部
４１ａ  リブ
１  ロック部材
２  ケース
３  弾性素子
４  固定部材
１１  本体部
１２  第１ストップアーム
１３  第２ストップアーム
１４  延伸部
１１１  貫通孔
１４１  当接部
１４１１  当接面
２１  収容空間
２２  ラチェット機構
２３  開孔
２４  フック部
２５  取手
５  キャビネット
６  インターフェースカード
５１  スライドレール
５２  凸壁
６１  パネル
６２  回路基板
【図１】
0003149435.tif 000003
【図２】
0003149435.tif 000004
【図３】
0003149435.tif 000005
【図４】
0003149435.tif 000006
【図５】
0003149435.tif 000007
【図６】
0003149435.tif 000008
【図７】
0003149435.tif 000009